(57)【要約】【課題】  浴槽への出入りに高い階段を要せず、かつ入浴に先立って浅い湯水を貯留しておくことを可能にし、しかも簡便かつ低廉に構成可能な温浴運動浴槽を提供する。【解決手段】  温浴運動浴槽１０１は、入浴者の周囲を囲む壁体１と、壁体の内側に配置され、上面が開口しており、湯水を入れたときに、壁体１の内側表面に貼り付き、外側に膨出しないように、この内側表面に支持される大きさであり、上端を上げ下ろし可能なほどに柔軟な水密性シートの容器１３と、を有する。壁体１は、周に沿った一部において、下端からある高さ９より上部を開閉する扉３を有している。壁体１と容器１３とは、容器１３が壁体１と略同じ深さ、及び壁体１のうち扉３より下方の部分１１と略同じ深さを含む、複数の深さのうちの任意の深さとなるように、容器１３を壁体１に係止する係止部材１５，２３を有する。【選択図】  図１
2017196355.tif 000002
【特許請求の範囲】
【請求項１】
湯水中で入浴者が運動するための温浴運動浴槽であって、
前記入浴者の周囲を囲む壁体と、
前記壁体の内側に配置され、上面が開口しており、湯水を入れたときに、前記壁体の内側表面に貼り付き、外側に膨出しないように当該内側表面に支持される大きさであり、上端を上げ下ろし可能なほどに柔軟な水密性シートの容器と、を備え、
前記壁体は、周に沿った一部において、下端からある高さより上部を開閉する扉を有し、
前記壁体と前記容器とは、前記容器が前記壁体と略同じ深さ、及び前記壁体のうち前記扉より下方の部分と略同じ深さを含む、複数の深さのうちの任意の深さとなるように、前記容器を前記壁体に係止する係止部材を有する、温浴運動浴槽。
【請求項２】
前記ある高さは、標準的な成人の足首の高さ以上、かつ膝の高さ以下である、請求項１に記載の温浴運動浴槽。
【請求項３】
前記容器の中に投入されることにより、容器を満たす湯水の量を節減する浸漬物と、
前記壁体の上方に設置される滑車と、
当該滑車に掛け回されることにより、前記浸漬物を吊り下げる紐体とを、さらに備え、
前記壁体と前記紐体とは、前記浸漬物を複数の高さのうちの任意の高さに保持するように、前記浸漬物とは反対側に前記滑車から吊り下がる前記紐体を、前記壁体に係止する別の係止部材を、さらに有する請求項１又は２に記載の温浴運動浴槽。
【請求項４】
前記扉は、外側開きの扉であり、
前記壁体は、前記扉が閉じた状態を維持するロック機構を、さらに有する請求項１から３のいずれかに記載の温浴運動浴槽。
【請求項５】
前記壁体は、周に沿った前記一部において、前記ある高さより下部を開閉する別の扉を、さらに有する、請求項１から４のいずれかに記載の温浴運動浴槽。
【請求項６】
前記別の扉は、外側開きの扉であり、
前記壁体は、前記別の扉が閉じた状態を維持する別のロック機構を、さらに有する請求項５に記載の温浴運動浴槽。
【請求項７】
前記容器の上端縁に沿って取り付けられ、当該上端縁の平面輪郭形状を保持する環状枠体をさらに備える、請求項１から６のいずれかに記載の温浴運動浴槽。
【請求項８】
湯水を貯留する貯留槽と、
当該貯留槽と前記壁体の内側に配置された前記容器との間で、湯水をやり取りするポンプ装置と、をさらに備える、請求項１から７のいずれかに記載の温浴運動浴槽。
【発明の詳細な説明】
【技術分野】
【０００１】
本発明は、家庭内で温浴運動するための温浴運動浴槽に関する。
【背景技術】
【０００２】
近年、高齢者が多くなっており、膝、腰、背中等に、痛みを感じる方が多く、鎮痛シップやテープの貼付薬による痛み対策や手術を受けている方も多い。痛みの部位によっては、歩くことや体重を軽減させることが、医者により推奨されている。鎮痛薬は対症療法である。また、手術を受けた方にも、何らかの不満が残る場合がある。又、歩くことも、痛みを伴うことから抵抗感があり、体重の軽減も容易でないというのが現状である。
【０００３】
温水浴中での歩行等による運動が、浮力を活用した体重軽減を伴うことにより、主に下半身の無理のない筋肉強化に有効であるとして、経験者や医療関係者から推奨されている。しかしこの方法も、現状では、商業的大型プール施設で実施されているに過ぎない。そのため、何らかの交通手段を使って現地まで赴かなければならない、という課題がある。家庭用の個人浴槽が要求されるものの、期待されるほどのものは現在のところ知られていない。その原因は、サイズを最少にして現有の家庭用浴室に設置するとしても、温浴運動を可能にするほどに側壁の高い浴槽に出入するには、段数の多い高い階段が不可欠となることから、占有面積が大きくなるからである。標準的成人の温浴運動に適するには、湯水の深さとして１２０ｃｍ程度を要する。屋外に設置したとしても、浴槽への出入りのために、同様の高い階段の使用が不可欠であることに変わりはなく、そのために設置面積の問題が残る点に変わりはない。
【０００４】
なお、温浴運動を目的とした技術ではないものの、上記の問題の解消につながる技術として、特許文献１〜４に開示される浴槽が知られる。特許文献１は、上部が開放され、かつ折り畳み自在な耐水性の袋体を有し、この袋体内に位置するように、矩形の底板と、この底板の四隅に立設される支柱と、を設置した浴槽を開示している。この浴槽は、湯水を溜めるための袋体が折り畳み自在であることから、階段を設けることなく、入浴者が浴槽へ容易に出入りできる、という利点が期待される。しかし、袋体に湯水を貯留するには、袋体は、相当の水圧に耐える必要があり、折り畳み可能であるという他方の要請との両立が容易でない、という問題点がある。しかも、湯水を貯留すると、袋体が支柱の間から外方に膨れ出るという問題点がある上に、袋体が完全に上方へ引き上げられた状態ではなく、ある程度折り畳まれた状態にあるときには、外方への膨出が特に顕著となる。従って、入浴者が浴槽に入る前に、例えば袋体を跨ぐことを妨げない程度に、袋体をある程度の高さに引き上げた状態にして、浅く湯水を溜めておく、ということが困難である、という問題点がある。冬場など寒冷期であっても、入浴者は、足元を暖めるほどの湯水もない浴槽に入って、湯水の注入を待たざるを得ない。このことは、特に高齢者の健康に好ましくなく、健康の維持・増進という温浴運動の目的に相反することとなる。
特許文献１には更に、別の実施の形態として、袋体の外周を囲むように板状体を配置し、それらをバンド（帯状体）にて固定する形態が開示されている（段落００８９）。この形態では、湯水の水圧により袋体が支柱の間から外方に膨れ出るという問題は解消されるであろうし、入浴者が浴槽へ入るときには、低い位置にのみ板状体を設置しておくことにより、出入りを容易にするとともに、あらかじめ浅く湯水を溜めておくことも可能となろうが、入浴の度に板状体とバンドを取り付け取り外すという、煩わしい手間を要する。板状体とバンドとを取り付けたままにしておく、という使い方が、仮に想定できたとしても、その場合には、入浴者が浴槽に出入りするには、高い位置に取り付けられた板状体を乗り越える必要がある。このため、既に述べたように高い階段の使用が不可欠となり、設置面積の問題が残ることとなる。
【０００５】
特許文献２は、四周の一側壁に外開きの扉を設けることにより、入浴者の出入りを容易にした浴槽を開示している。この浴槽においては、扉を開くと浴槽内の湯水は全て浴槽外へ漏れ出ることとなる。従って、特許文献１と同様に、入浴前に浅く湯水を溜めておくことができない、という問題点がある。また、浴槽は湯水の漏れを防ぐ水密性である必要があり、特に閉じられた扉を水密に保持する必要があることから、浴槽が高価のものとなる、という問題点がある。
【０００６】
特許文献３は、四周の一側壁に上下スライド式の扉を設けることにより、入浴者の出入りを容易にした浴槽を開示している。この従来技術も、特許文献２と同様の問題点を有している。
【０００７】
特許文献４は、多数の細長部材を屈曲可能に連結してなる簀の子状の浴槽枠を円筒状に巻き、この円筒状の浴槽枠の内側に防水シートを配置し、防水シート内に湯水を貯留することを可能にした浴槽を開示している。浴槽枠は、桶の箍（たが）のように、外周面上に巻かれたベルトにより円筒形状が保たれる。ベルトの締め付け状態を解除することにより、浴槽枠を円筒状に巻いた状態を解くことができるので、入浴者は浴槽へバリアフリーに出入りすることができる。しかし、この従来技術も、特許文献１と同様に、入浴前に浅く湯水を溜めておくことができない、という問題点がある。
【先行技術文献】
【特許文献】
【０００８】
【特許文献１】特許第4156011号公報
【特許文献２】特開2006-20989号公報
【特許文献３】特開2013-223716号公報
【特許文献４】特開2010-12215号公報
【発明の概要】
【発明が解決しようとする課題】
【０００９】
本発明は上記の問題点に鑑みてなされたもので、浴槽内で温浴運動をするために湯水を深く貯留することを可能にしつつ、浴槽への出入りに高い階段を要せず、かつ入浴に先立って浅い湯水を貯留しておくことを可能にし、しかも簡便かつ低廉に構成可能な温浴運動浴槽を提供することを目的とする。
【課題を解決するための手段】
【００１０】
上記課題を解決し上記目的を達成するために、本発明のうち第１の態様によるものは、湯水中で入浴者が運動するための温浴運動浴槽であって、前記入浴者の周囲を囲む壁体と、前記壁体の内側に配置され、上面が開口しており、湯水を入れたときに、前記壁体の内側表面に貼り付き、外側に膨出しないように当該内側表面に支持される大きさであり、上端を上げ下ろし可能なほどに柔軟な水密性シートの容器と、を備えている。前記壁体は、周に沿った一部において、下端からある高さより上部を開閉する扉を有している。前記壁体と前記容器とは、前記容器が前記壁体と略同じ深さ、及び前記壁体のうち前記扉より下方の部分と略同じ深さを含む、複数の深さのうちの任意の深さとなるように、前記容器を前記壁体に係止する係止部材を有する。
【００１１】
この構成によれば、容器が扉より下方の壁体の部分と略同じ深さとなるように、容器を係止した状態で、容器内に湯水を貯留しておくことができ、入浴者は扉の開いた出入り口を通って、湯水がある程度貯留された壁体内に入ることができる。すなわち、身体の一部を暖めつつ、湯水の注入を待つことが出来る。その後に、容器が壁体と略同じ深さとなるように容器を係止し、扉を閉じ、入浴が可能なまでに湯水を注入することができる。これにより、入浴者は十分な量の湯水中での入浴及び運動が可能となる。入浴者が入浴を終了して壁体の外に出るときには、容器の係止状態を解除する。それにより、容器を浅くすることができ、容器内の湯水が容器外に漏れ出る。漏れ出た湯水は、壁体の下端、あるいは壁体に設けられた小さな隙間などを通じて、壁体の外部に漏れ出る。湯水が十分に漏れ出た後に、扉を開くことにより、入浴者は壁体の外に出ることができる。入浴者は扉の開いた出入り口を通って、壁体に出入りすることができるので、温浴運動を可能にするほどの高さの壁体の上端を跨いで出入りする必要がない。このため、出入りに階段を設置する場合であっても、段数の多い高い階段を設置する必要がない。また、湯水は柔軟な水密性の容器、例えば薄い樹脂製の袋により保持されるので、壁体を水密性にする必要が無く、閉じられた扉を水密に保持する必要もない。このため、この構成による温浴運動浴槽は、簡便かつ廉価に構成することができる。
【００１２】
なお、壁体は、たとえばメッシュ状であるなど、容器の膨出を妨げる程度の小さな空隙を有していても良い。また、容器は湯水を抜くための栓を有していても良い。栓がある場合には、入浴者が入浴を終了して壁体の外に出るときには、まず栓を開けることにより湯水を抜いてから容器の係止状態を解除することも可能である。このような形態も、本発明の第１の態様に含まれる。
【００１３】
本発明のうち第２の態様によるものは、第１の態様による温浴運動浴槽であって、前記ある高さは、標準的な成人の足首の高さ以上、かつ膝の高さ以下である。
この構成によれば、階段がなくても、入浴者は扉の開いた出入り口を跨いで通ることができる。すなわち、階段の設置を略することができるので、より狭い浴室にも適合する。また、足元を暖めるほどの湯水を、入浴者の入浴前に溜めておくことが可能である。
【００１４】
本発明のうち第３の態様によるものは、第１又は第２の態様による温浴運動浴槽であって、前記容器の中に投入されることにより、容器を満たす湯水の量を節減する浸漬物と、前記壁体の上方に設置される滑車と、当該滑車に掛け回されることにより、前記浸漬物を吊り下げる紐体とを、さらに備えている。そして、前記壁体と前記紐体とは、前記浸漬物を複数の高さのうちの任意の高さに保持するように、前記浸漬物とは反対側に前記滑車から吊り下がる前記紐体を、前記壁体に係止する別の係止部材を、さらに有する。
【００１５】
この構成によれば、前記浸漬物を異なる高さに保持することができ、それにより、容器を満たす湯水の量を加減することができる。
【００１６】
本発明のうち第４の態様によるものは、第１から第３のいずれかの態様による温浴運動浴槽であって、前記扉は、外側開きの扉であり、前記壁体は、前記扉が閉じた状態を維持するロック機構を、さらに有する。
【００１７】
この構成によれば、扉の開閉が容易であるとともに、扉が湯水の水圧により開放することを防ぐことができる。
【００１８】
本発明のうち第５の態様によるものは、第１から第４のいずれかの態様による温浴運動浴槽であって、前記壁体は、周に沿った前記一部において、前記ある高さより下部を開閉する別の扉を、さらに有する。
【００１９】
この構成によれば、使用者の中に僅かな高さをも跨ぐことの困難な人があっても、別の扉を開くことにより、浴槽に出入りすることができる。
【００２０】
本発明のうち第６の態様によるものは、第５の態様による温浴運動浴槽であって、前記別の扉は、外側開きの扉であり、前記壁体は、前記別の扉が閉じた状態を維持する別のロック機構を、さらに有する。
【００２１】
この構成によれば、別の扉の開閉が容易であるとともに、別の扉が湯水の水圧により開放することを防ぐことができる。
【００２２】
本発明のうち第７の態様によるものは、第１から第６のいずれかの態様による温浴運動浴槽であって、前記容器の上端縁に沿って取り付けられ、当該上端縁の平面輪郭形状を保持する環状枠体をさらに備える。
【００２３】
この構成によれば、壁体の内側において容器の上端を上げ下ろしする作業が容易に行い得る。
【００２４】
本発明のうち第８の態様によるものは、第１から第７のいずれかの態様による温浴運動浴槽であって、湯水を貯留する貯留槽と、当該貯留槽と前記壁体の内側に配置された前記容器との間で、湯水をやり取りするポンプ装置と、をさらに備える。
【００２５】
この構成によれば、温浴運動のために用いた湯水を、貯留槽に溜めておき、再度温浴運動を行うときに、再利用することができる。
【発明の効果】
【００２６】
以上のように本発明によれば、浴槽内で温浴運動をするために湯水を深く貯留することを可能にしつつ、浴槽への出入りに高い階段を要せず、かつ入浴に先立って浅い湯水を貯留しておくことを可能にし、しかも簡便かつ低廉に構成可能な温浴運動浴槽が実現する。
【図面の簡単な説明】
【００２７】
【図１】本発明の一実施の形態による温浴運動浴槽の斜視図である。
【図２】図１の浴槽の、容器が深い状態にあるときの断面図である。
【図３】図１の浴槽の、容器が浅い状態にあるときの断面図である。
【図４】図１の浴槽の、浸漬物を使用しているときの断面図である。
【図５】本発明の別の実施の形態による温浴運動浴槽の斜視図である。
【図６】本発明のさらに別の実施の形態による温浴運動浴槽を、一部切断して示す斜視図である。
【図７】本発明のさらに別の実施の形態による温浴運動浴槽の概略構成を示す概略斜視図である。
【発明を実施するための形態】
【００２８】
図１は、本発明の一実施の形態による温浴運動浴槽の構成を示す斜視図である。この温浴運動浴槽１０１は、入浴者の四周を矩形環状に囲む壁体１を有している。壁体１は、例えば浴室の床面２の上に置かれる。壁体１の一壁面（正面とする）には、扉３が設けられている。図１の例では、扉３は外側片開きのドア式であり、正面右側に設けられるヒンジ（図示略）によって回動自在となっている。扉３の正面左側には、扉３を閉じた状態に保持するロック機構５が設けられている。ロック機構５は、レバー７を左右に回動させることにより、施錠及び解錠が可能となっている。このような機能を果たすロック機構５の構造として、様々な形態が周知であることから、その詳細な説明は略する。扉３は、壁体１の下端からある高さ９までの範囲を固定壁１１として残し、その上部において開閉する。高さ９は、好ましくは、標準的な大人の脛の高さ、すなわち足首から膝までの範囲内に設定される。それにより、入浴者は階段や足場を要せずに、扉３が開いた出入り口を、出入りすることが可能となる。
【００２９】
壁体１の内側には、樹脂などの水密性かつ柔軟なシートにより形成された容器１３が配置されている。容器１３は、上面が開口する袋状であり、上端部に複数の係止部材１５が連結されている。係止部材１５は、帯体１７と、帯体１７に取り付けられた留め具１９，２１とを有している。図１の例では、留め具１９は帯体１７の末端に設けられ、留め具２１は根元付近に設けられている。壁体１の左側壁（図において手前側の壁）と右側壁（図において奥側の壁）には、外側に突出する鉤（かぎ）状の係止部材２３が固定されている。留め具２１を係止部材２３に止めることにより、容器１３の上端を引き上げた状態で、容器１３を壁体１に係止することができる。すなわち、容器１３を深い状態に保つことができる。図１の例では、容器１３は上端部が壁体１の上端を超えて外側に垂れた状態で係止されている。
【００３０】
このように、扉３を閉じ、ロック機構５により施錠をし、留め具２１を係止部材２３に係止した状態で、容器１３内に湯水２５を深く貯留させることが可能となる。容器１３は、外側に広がるように湯水２５の圧力を受けるが、壁体１により受け止められる。このため、容器１３は、湯水２５の圧力に耐えるほどの強度を要しない。また、容器１３は、湯水２５を注入したときに、壁体１に貼り付くことにより壁体１に受け止められるほどの大きさに構成される。
【００３１】
湯水２５は水密性の容器１３によって保持されるので、扉３を含めて、壁体１を水密性にする必要がない。例えば、壁体１は、長板材を互いに継ぎ合わせることによって形成することが可能である。また、壁体１は、多数の小孔を有するメッシュ状の壁体であってもよい。壁体１に空隙や孔があっても、容器１３のシートが水圧により、空隙等からはみ出るほどの大きさでなければ、問題は無い。また、扉３と壁体１の残余の部分との間も、水密に保つ必要がない。すなわち、浴槽１０１は、低廉なコストで、簡便に作ることができる。
【００３２】
図２は、温浴運動浴槽１０１の、容器１３が深い状態にあるときの断面図である。図２に示すように、壁体１及び容器１３は、入浴者２７が起立した状態であっても、胸まで湯水２５を溜めることが可能なほどの深さを有する。また、前後左右にも、ある程度の広さを有する。これにより、入浴者２７は、湯水２５の中で温浴運動をすることができる。
【００３３】
図１に示した留め具２１に代えて、留め具１９を係止部材２３に係止することにより、容器１３の上端を壁体１内に低く保持することができ、それにより容器１３を浅くすることができる。図３は、温浴運動浴槽１０１の、容器１３が浅い状態にあるときの断面図である。図３において、容器１３の高さは、おおよそ扉３の下端の位置すなわち高さ９に設定されている。すなわち、容器１３はおおよそ固定壁１１と同じ深さとなっている。この状態では、容器１３内の湯水２５の水圧に妨げられることなく、扉３を開閉することが可能であり、扉３を開いて入浴者２７が、容器１３に妨げられることなく、容器１３内へ出入りすることが可能である。入浴者２７が入浴のために容器１３内へ入る前に、図３の状態にある容器１３に、予め湯水２５を貯留しておくことができる。それにより、入浴者２７は、冬季など寒冷時においても、身体の一部を暖めつつ、入浴に適するまで湯水２５が満たされるのを待つことができる。入浴者２７が容器１３内へ入ると、扉３を閉じ、ロック機構５を施錠し、係止部材１５を引き上げ、留め具１９に代えて留め具２１を係止部材２３に止めることにより、容器１３を図２に例示した深さとすることができる。それにより、湯水２５を十分な深さにまで注入することができる。
【００３４】
入浴が終了すると、留め具２１を係止部材２３から外す。また、図１に例示するように、容器１３の上端部が壁体１の上端において折り返されているときには、折り返された容器１３の上端部を壁体１の内側に戻す。これにより、湯水２５が容器１３の外に漏れ出てゆく。漏れ出た湯水２５は、壁体１の隙間、孔、下端と床の隙間などから、壁体１の外へ漏れ出る。容器１３が、湯水２５の圧力により壁体１に押しつけられることにより、浅くならないときには、容器１３を壁体１からめくって引き下げると良い。湯水２５が固定壁１１の深さにまで達すると、入浴者２７は、ロック機構５を解錠し、扉３を開いて外に出ることができる。
【００３５】
容器１３内の空間全体を使用する訳ではないときには、湯水２５の量を節減するために、容器１３内の湯水２５に浸漬されて湯水２５を押しのける、非浸水性の物体を使用することが有効である。図４は、貯留される湯水２５の量を、このような浸漬物によって調整するための簡便な機構を例示する。図４の例では、浴室の天井３１に滑車３３が取り付けられており、滑車３３に掛け回されたロープなどの紐体３９により、非浸水性の浸漬物３７が吊り下げられている。浸漬物３７が連結された側とは反対側に滑車３３から吊り下がる紐体３９には、係止部材として機能する環状の留め具４１が、複数箇所に設けられている。図１にも例示するように、壁体１の側壁には、容器１３の深さを保持するための係止部材２３とは別に、留め具４１を止めるための鉤状の係止部材４３が固定されている。入浴者２７あるいはその介護者は、係止部材４３に止める留め具４１を代えることにより、浸漬物３７の高さを変えることができ、それにより、貯留される湯水２５の量を、好みの量に調整することができる。
【００３６】
浸漬物３７は、高さを調整する負担を軽減する意味で、重量が軽い方が望ましく、湯水２５の比重よりわずかに大きい程度であることが望ましい。例えば、適量の水を注入した樹脂製の密閉容器、例えば灯油用タンクを、浸漬物３７として使用することができる。タンクに取手（とって）がある場合には、紐体３９の端部を取手に結び付けることにより、紐体３９にタンクを容易に連結することができる。
（別の実施の形態）
【００３７】
例示した温浴運動浴槽１０１では、壁体１は平面視形状が矩形であったが、矩形以外、例えば円形であってもよい。また、壁体１は無底であったが、有底であっても良い。容器１３の深さを調節するために、１本の帯体１７に複数の留め具１９，２１を設ける代わりに、先端に留め具１９のみを設け、係止部材２３を上下方向に沿った複数箇所に設けてもよい。留め具４１と係止部材４３についても同様である。また、係止部材２３，４３は、例えば上向きの鉤状として、壁体１の内側に突起するように設けても良い。さらに扉３は、図１に例示した回動式に代えて、鉛直スライド式など他の方式を採ることも可能である。鉛直スライド式であれば、湯水２５の水圧より扉が開くことがないので、ロック機構５は無用である。このように、本発明において「扉」は、開口部を開閉する部材を広く意味する語として使用している。
【００３８】
固定壁１１の高さを、標準的な大人の膝の高さよりも高くすることも可能である。このときには、高さによっては、床面２の上及び容器１３の底面の上に、足場あるいは階段を置くことが望ましい。それでもなお、扉３があることにより、入浴者２７は壁体１の上端を跨ぐ必要がないので、扉３が無い場合に比べて、足場あるいは階段は低いもので足りる。
【００３９】
容器１３は、底面ないし底面に近い側面に、湯水を抜くための栓が設けられても良い。栓は、例えば入浴者２７が操作できるように容器１４の内側に設けられる。容器１３に栓が設けられる場合には、入浴者２７が入浴を終了して壁体１の外に出るときには、まず栓を開けることにより湯水２５を抜いてから、留め具２１を係止部材２３から外すことも可能である。また、栓は１箇所だけでなく複数箇所にあってもよい。特に、容器１３の側面の深さの異なる部位に、栓を設けても良い。この場合には、入浴者２７が、湯水の深い部位にある栓に手を伸ばすことなく、湯水の水位が下がるのに従い、浅い部位にある栓から順に、楽に開けてゆくことができる。
【００４０】
温浴運動浴槽１０１は、家庭用浴室の床の上だけでなく、浴室内の既製の浴槽とサイズが整合するのであれば、浴槽の中に入れて使用することも可能である。また図４には、滑車３３が浴室の天井３１に取り付けられる例を示したが、壁体１に支柱（図示略）を取り付けて、その頂部に取り付けたり、温浴運動浴槽１０１を屋外に設置する場合には、樹木の枝に取り付けたりするなど、壁体１の上方にある様々な物体、構造物に取り付け可能である。
【００４１】
図５は、本発明の別の実施の形態による温浴運動浴槽の斜視図である。この温浴運動浴槽１０２は、図１に例示した温浴運動浴槽１０１の固定壁１１に、もう一つの扉５３が設けられている。図５の例では、扉５３は、図１に例示した扉３と同じく、外側片開きのドア式であり、正面右側に設けられるヒンジ（図示略）によって回動自在となっている。扉３の正面左側には、扉３を閉じた状態に保持するロック機構５５が設けられている。僅かな高さをも跨ぐことの困難な入浴者２７がある場合であっても、扉５３を開くことにより、浴槽に出入りすることができる。すなわち温浴運動浴槽１０２は、入浴者２７が容器１３内へ入る前に、湯水２５をある高さまで貯留しておくことよりも、入浴者２７がバリアフリーに容器１３に出入りできることを優先すべき場合にも、対応可能である。
【００４２】
図６は、本発明のさらに別の実施の形態による温浴運動浴槽を、一部切断して示す斜視図である。この温浴運動浴槽１０３では、容器１３の開口端縁である上端縁６０に沿って、環状枠体６１が取り付けられている。環状枠体６１は、壁体１の内側面に沿う形状であり、図６の例では矩形である。容器１３の上端縁６０は、例えば、間隔をおいて配列する帯状体６３によって、環状枠体６１に連結される。帯状体６３は、例えば容器１３と同一材料であり、例えば熱融着あるいは接着により、容器１３に固着されている。環状枠体６１が設けられることにより、容器１３の上端縁６０の高さを一様に保持しながら、容器１３を容易に上げ下ろしすることが可能となる。環状枠体６１の材料は、例えば、アルミニウムなどの金属、あるいは硬質のプラスチックである。また、環状枠体６１は、例えば管（パイプ）状である。
【００４３】
容器１３を引き上げた状態で壁体１に係止するには、図１に例示した係止部材１５を用いることもできるが、図６には別の例として、紐体６５を用いる例を示す。壁体１の上端縁付近には、紐体６５が挿通される貫通孔６７が並んでいる。隣り合う２個の貫通孔６７に１本の紐体６５が挿通される。紐体６５を使用しないときには、紐体６５の両端は壁体１の内側に垂れている。図６に例示するように、環状枠体６１を高く引き上げ、紐体６５を縛り付けることにより、容器１３を引き上げた状態に保持することができる。容器１３を低い位置、一例として図１に例示した高さ９に保持するには、高さ９よりも幾分高い位置に配列するように、貫通孔６７と同様の貫通孔（図示略）を壁体１に形成し、これらの貫通孔に、紐体６５と同様の紐体を挿通するとよい。これらの紐体を環状枠体６１に縛り付けることにより、容器１３の高さを、高さ９と同レベルに保持することができる。容器１３内の湯水２５の水圧により、容器１３が貫通孔から膨出しないように、貫通孔は紐体が隙間無く挿通する程度に小さく設定するのが望ましい。紐体６５を挿通する貫通孔６７を様々な高さに形成することにより、容器１３の高さを多段階に変えることが可能である。なお、環状枠体６１が取り付けられていない容器１３の高さを保持するためにも、紐体６５を使用することが可能である。この例では、紐体６５、環状枠体６１及び帯状体６３は、本発明の係止部材の別の具体例に相当する。
【００４４】
容器１３の高さを保持する手段のさらに別の例として、壁体１の内壁面に例えば鉤型の吊り具（図示略）を設置し、帯状体６３に穴を開けておき、この穴を吊り具に掛けることにより、容器１３の高さを保持するようにしてもよい。吊り具を様々な高さに設置することにより、容器１の高さを様々に調節することができる。この例では、吊り具及び帯状体６３は、本発明の係止部材のさらに別の具体例に相当する。この吊り具は、例えば、図１に例示した係止部材２３の上下を逆にして、鈎が上向きとなるようにしたものであってもよい。
【００４５】
図７は、本発明のさらに別の実施の形態による温浴運動浴槽の概略構成を示す概略斜視図である。この温浴運動浴槽１０４は、既に例示した温浴運動浴槽１０１〜１０３に加えて、湯水２５を貯留する貯留槽７１と、この貯留槽７１と温浴運動浴槽１０１〜１０３の容器１３との間で、湯水２５をやり取りするポンプ装置７３と、を有している。温浴運動を行うために容器１３内に入れて使用した湯水２５を、使用後にポンプ装置７３により貯留槽７１に溜めておき、再度温浴運動を行うときに、容器１３に戻して再利用することができる。それにより、湯水２５を節減することができる。ポンプ装置７３内にフィルタ（図示略）を設置することにより、汚れや菌を除去した清浄な湯水２５に再生して再利用することも可能である。
【符号の説明】
【００４６】
１  壁体、  ２  床面、  ３  扉、  ５  ロック機構、  ７  レバー、  ９  高さ、  １１  固定壁、  １３  容器、  １５  係止部材、  １７  帯体、  １９，２１  留め具、  ２３  係止部材、  ２５  湯水、  ２７  入浴者、  ３１  天井、  ３３  滑車、  ３７  浸漬物、  ３９  紐体、  ４１  留め具、  ４３  係止部材、  ５３  扉、  ５５  ロック機構、  ６０  上端縁、  ６１  環状枠体、  ６３  帯状体、  ６５  紐体、  ６７  貫通孔、  ７１  貯留槽、  ７３  ポンプ装置、    １０１，１０２，１０３，１０４  温浴運動浴槽
【図１】
2017196355.tif 000003
【図２】
2017196355.tif 000004
【図３】
2017196355.tif 000005
【図４】
2017196355.tif 000006
【図５】
2017196355.tif 000007
【図６】
2017196355.tif 000008
【図７】
2017196355.tif 000009
【手続補正書】
【提出日】平成28年8月29日(2016.8.29)
【手続補正１】
【補正対象書類名】特許請求の範囲
【補正対象項目名】請求項１
【補正方法】変更
【補正の内容】
【請求項１】
１２０ｃｍ程度の深さの湯水中で標準的成人の入浴者が運動することを可能にする家庭用の温浴運動浴槽であって、
前記入浴者の周囲を囲む壁体と、
前記壁体の内側に配置され、上面が開口しており、湯水を入れたときに、前記壁体の内側表面に貼り付き、外側に膨出しないように当該内側表面に支持される大きさであり、上端を上げ下ろし可能なほどに柔軟な水密性シートの容器と、を備え、
前記壁体は、周に沿った一部において、下端からある高さより上部を開閉する扉を有し、
前記壁体と前記容器とは、前記容器が前記壁体と略同じ深さ、及び前記壁体のうち前記扉より下方の部分と略同じ深さを含む、複数の深さのうちの任意の深さとなるように、前記容器を前記壁体に係止する係止部材を有する、温浴運動浴槽。
【手続補正書】
【提出日】平成28年12月17日(2016.12.17)
【手続補正１】
【補正対象書類名】特許請求の範囲
【補正対象項目名】全文
【補正方法】変更
【補正の内容】
【特許請求の範囲】
【請求項１】
湯水中で入浴者が運動するための家庭用の温浴運動浴槽であって、
起立した状態にある前記入浴者の周囲を囲む壁体と、
前記壁体の内側に配置され、上面が開口しており、湯水を入れたときに、前記壁体の内側表面に貼り付き、外側に膨出しないように当該内側表面に支持される大きさであり、上端を上げ下ろし可能なほどに柔軟な水密性シートの容器と、を備え、
前記壁体は、周に沿った一部において、下端から、標準的な成人の足首の高さ以上、かつ膝の高さ以下のある高さより上部を開閉する扉を有し、
前記壁体と前記容器とは、前記容器が前記壁体と略同じ深さ、及び前記壁体のうち前記扉より下方の部分と略同じ深さを含む、複数の深さのうちの任意の深さとなるように、前記容器を前記壁体に係止する係止部材を有し、
前記係止部材によって、前記容器を、前記壁体と略同じ深さとなる状態と、前記容器の前記上端を下げて前記壁体のうち前記扉より下方の部分と略同じ深さとなる状態とに変更する、温浴運動浴槽。
【請求項２】
前記壁体は、周に沿った前記一部において、前記ある高さより下部を開閉する別の扉を、さらに有する、請求項１に記載の温浴運動浴槽。